(57)【特許請求の範囲】
【請求項１】
硬質合成樹脂製の細長中空棒状体に溶着させるジョイント片の長手方向先端縁に嵌合用の突条を突成すると共に、他の細長中空棒状体の長手方向一端部に、この突条が嵌合し得る抱持部を形成し、当該抱持部内にジョイント片先端の突条を挿着して細長中空棒状体同士の連結を図るようにした連結部を有してなるシャッター式の浴槽蓋において、前記細長中空棒状体の両端開口部に付設するキャップを、ジョイント片による連結部を除いた細長中空棒状体の開口部を塞ぐ第１キャップと、この第１キャップによっては覆うことのできないジョイント片による連結部を覆うことのできる第２キャップとの二重キャップにより構成し、前記第１キャップは細長中空棒状体の両端開口部に溶着させるようにすると共に、第２キャップは第１キャップに対して着脱可能としたことを特徴とするシャッター式浴槽蓋。
【請求項２】
第１キャップの表面側に、第２キャップをスライドさせて嵌合できる凹溝を凹設し、当該凹溝内に第２キャップを嵌め付けてジョイント片による連結部を覆うように構成した請求項１記載のシャッター式浴槽蓋。
【請求項３】
第１キャップに複数個の通孔を穿設すると共に、当該通孔内に挿着し得る係合突起を第２キャップの裏面側に突設し、第２キャップの当該係合突起を第１キャップの通孔内に挿着してジョイント片による連結部を覆うように構成した請求項１記載のシャッター式浴槽蓋。
【請求項４】
ジョイント片による連結部側となる部分を除いて第１キャップの表面側外周部に沿って突縁部を形成し、ジョイント片による連結部を覆うことのできる第２キャップの周縁部を、第１キャップの前記突縁部内に嵌着するように構成した請求項１記載のシャッター式浴槽蓋。
【発明の詳細な説明】
【０００１】
【発明の属する技術分野】
本発明は硬質合成樹脂製の細長中空棒状体をジョイント片乃至帯状片を介して多数連結してなる浴槽の上面を覆うシャッター式の浴槽蓋に関する。
【０００２】
【従来の技術】
浴槽の上面を覆う浴槽蓋の一つのタイプとして、硬質合成樹脂製の細長中空棒状体の多数本を軟質合成樹脂製のジョイント片乃至帯状片を介して並列に浴槽の上面を覆う広さになるだけ連結してなるシャッター式の浴槽蓋が知られている。
シャッター式浴槽蓋は不使用時には小径状に巻き込んで邪魔とならない浴室の隅などに立てかけておくことができ、取扱い操作性が良好なところから一般に可成り普及している。
【０００３】
なお、ジョイント片乃至帯状片を用いた細長中空棒状体の連結構造として、硬質合成樹脂製の２本以上の細長中空棒状体を押出成形するときに、同時に軟質合成樹脂製の帯状片を押出して溶着する構造と、同時押出成形の際に端末部となる細長中空棒状体に溶着させるジョイント片の長手方向先端縁に嵌合用の突条を突成して、他の細長中空棒状体の長手方向一端部に、この突条が嵌合し得る抱持部を形成し、当該抱持部内にジョイント片先端の突条を挿着して連結を図るようにした構造のものが知られており、いずれの構造のものにおいても細長中空棒状体の両端開口部にはキャップを取り外しできないように付設して開口部を塞ぐようにしている。
【０００４】
このシャッター式浴槽蓋の場合、浴槽の大きさに対応するよう予め所要寸法を規格化して販売する規格品と、大径状に巻き込んだものを店頭においてその都度必要寸法に切断して販売する長尺品とがあり、長尺品によった場合は端数が残るため、販売店においてこの端数を新しい長尺製品とジョイントすることで無駄が生じないようにしている。
【０００５】
【発明が解決しようとする課題】
前記したように、シャッター式浴槽蓋が長尺品の場合には、販売店にて端数を新しい長尺製品の端末に連結することで端数が生じないようにしている。この連結は主に接着剤により行っているが、接着法では難接着物であるポリプロピレン樹脂製のシャッター蓋には適用できないという問題点があると共に、ポリプロピレン樹脂以外の汎用樹脂であるポリ塩化ビニル樹脂やＡＢＳ樹脂の場合には接着性は良好であるとしても細幅長尺状のジョイント片乃至帯状片を硬質合成樹脂製の細長中空棒状体に接着剤を用いて接着したり、キャップを取付けるのに多大な手間が掛かり、結局、端数は使用せずに廃棄することもあって経済的にも大きな問題点があった。
【０００６】
また、上記寸法の定まった規格品においても、経時的に劣化が進んだ部分のみを他の新しいパーツに取り替えることができないという問題点や、ユーザーの好みで長さや配色などを自由に変えることができないという不具合があった。
【０００７】
そこで、本発明は前記した従来のシャッター式浴槽蓋に伴う問題点を解消し、細長中空棒状体の両端開口部に付設するキャップを二重化することによって、容易に他の細長中空棒状体に連結できるようになし、長尺品の端数に無駄が生じないようにすると共に、痛んだ部分のみを新しいパーツと取り替えたり、あるいはユーザーの好みに応じてカラフルな組み合わせを自在に楽しめるようになしたシャッター式浴槽蓋を提供することを目的とするものである。
【０００８】
【課題を解決するための手段】
前記目的を達成するための本発明の構成を詳述すれば、請求項１に係る発明は、硬質合成樹脂製の細長中空棒状体に溶着させるジョイント片の長手方向先端縁に嵌合用の突条を突成すると共に、他の細長中空棒状体の長手方向一端部に、この突条が嵌合し得る抱持部を形成し、当該抱持部内にジョイント片先端の突条を挿着して細長中空棒状体同士の連結を図るようにした連結部を有してなるシャッター式の浴槽蓋において、前記細長中空棒状体の両端開口部に付設するキャップを、ジョイント片による連結部を除いた細長中空棒状体の開口部を塞ぐ第１キャップと、この第１キャップによっては覆うことのできないジョイント片による連結部を覆うことのできる第２キャップとの二重キャップにより構成し、前記第１キャップは細長中空棒状体の両端開口部に溶着させるようにすると共に、第２キャップは第１キャップに対して着脱可能としたことを特徴とするシャッター式浴槽蓋である。
【０００９】
請求項２に係る発明は、第１キャップの表面側に、第２キャップをスライドさせて嵌合できる凹溝を凹設し、当該凹溝内に第２キャップを嵌め付けてジョイント片による連結部を覆うように構成した請求項１記載のシャッター式浴槽蓋である。
【００１０】
また、請求項３に係る発明は、第１キャップに複数個の通孔を穿設すると共に、当該通孔内に挿着し得る係合突起を第２キャップの裏面側に突設し、第２キャップの当該係合突起を第１キャップの通孔内に挿着してジョイント片による連結部を覆うように構成した請求項１記載のシャッター式浴槽蓋である。
【００１１】
さらに、請求項４に係る発明は、ジョイント片による連結部側となる部分を除いて第１キャップの表面側外周部に沿って突縁部を形成し、ジョイント片による連結部を覆うことのできる第２キャップの周縁部を、第１キャップの前記突縁部内に嵌着するように構成した請求項１記載のシャッター式浴槽蓋である。
【００１２】
本発明シャッター式浴槽蓋はこのように、細長中空棒状体の両端開口部に付設するキャップを二重キャップとしたことを最大の特徴とするものであり、細長中空棒状体の開口部に溶着される第１キャップに対して、第２キャップは着脱自在となっているため、当該第２キャップを第１キャップより外すことによって、ジョイント片による連結部、すなわち前記したジョイント片に突成した嵌合用の突条を細長中空棒状体に形成した抱持部内に挿着して連結を図るようにした連結部の端面を露出させることができる。
【００１３】
従って、抱持部内からジョイント片に突成した嵌合用の突条を引き抜くことによって細長中空棒状体同士の連結を解くことができ、販売店において接着剤を用いなくても長尺製品の端数を新しい長尺製品の端末に容易に連結することが可能となる。なお、第２キャップを第１キャップに嵌合させることで、ジョイント片による連結部は遮蔽されると共に、ロックされた状態となるので接着剤を塗布しなくても抱持部内からジョイント片に突成した嵌合用の突条が抜け出るおそれはなくなる。
【００１４】
本発明に係るシャッター式浴槽蓋は、細長中空棒状体の連結構造としてジョイント片の長手方向先端縁に突成した嵌合用の突条を、他の細長中空棒状体の長手方向一端部に形成した抱持部内に挿着して細長中空棒状体同士の連結を図るようにした連結部を具えてなるものに適用することができ、細長中空棒状体の全部がこのような連結構造となっているものの他、細長中空棒状体の一部がこのような連結構造となっているものについても適用することができるものである。
【００１５】
すなわち、図２に示すような６本の細長中空棒状体のうち、両端の細長中空棒状体を除いた４本の細長中空棒状体を同時押出成形するようなときは、両端に位置することとなる細長中空棒状体にそれぞれ抱持部及びジョイント片先端の突条を突成するようにすればよく、他の連結用の帯状片は同時押出成形の際に細長中空棒状体に溶着させるようにしたタイプのものについても当然適用することができる。なお、この場合同時押出成形した４本の細長中空棒状体の両端に、抱持部を具えた細長中空棒状体及びジョイント片先端の突条を突成したジョイント片を具えた細長中空棒状体を超音波溶着などの手段で連結するのは云うまでもない。
【００１６】
【発明の実施の形態】
以下、本発明に係るシャッター式浴槽蓋の具体的構成を図示の実施形態に基づき詳細に説明する。
図１は第１キャップ及び第２キャップを細長中空棒状体の端面から外した分解状態斜視図、図２は本発明を適用することのできる同時押出成形品としての細長中空棒状体の一例を示す端面図、図３は第２キャップを第１キャップに嵌め付けるときの説明図、図４は第１キャップに第２キャップを嵌着させた状態の説明図、図５は図４のＡ−Ａ線に沿った断面図、図６は第１キャップ及び第２キャップの他の実施例を示す斜視図、図７は第１キャップ及び第２キャップのさらに他の実施例を示す斜視図である。
【００１７】
図中１はシャッター式浴槽蓋を構成するパーツとしての細長中空棒状体であり、当該細長中空棒状体１はポリプロピレン樹脂、ポリエチレン樹脂、ＡＢＳ樹脂、ポリ塩化ビニル樹脂あるいはこれら樹脂の複合樹脂等硬質合成樹脂の押出成形によって主に作製される。２は細長中空棒状体１の長手方向一端縁に形成した抱持部であり、当該抱持部２には、他の細長中空棒状体１に溶着してあるジョイント片３の突条４が挿着されることによって細長中空棒状体１同士の連結が図られる。
【００１８】
ジョイント片３は細長中空棒状体１の押出成形時に同時に溶着されるものであるが、複数個の細長中空棒状体１を同時押出するようなときは、図２に示すように両端に位置する細長中空棒状体１Ａ及び１Ｂを除いて、抱持部を具えない細長中空棒状体１同士を、同時押出成形の際に平坦な軟質合成樹脂製の帯状片１７の溶着によって連結を図るようになし、抱持部２を具えた細長中空棒状体１Ａを同時押出成形品である細長中空棒状体１の一端部に帯状片１７を介して連結すると共に、突条４を具えたジョイント片３を具えた細長中空棒状体１Ｂを同時押出成形品である細長中空棒状体１の他端部に帯状片１７を介して連結するようにしてもよいものである。
【００１９】
なお、ジョイント片３はその全体を軟質合成樹脂によって製することもできるが、他の細長中空棒状体１Ａに形成してある抱持部２内に強固に挿着させるためには突条４を除いた帯状部分１８を軟質合成樹脂によって製すると共に、突条４の部分を硬質合成樹脂製とすることが好ましい。軟質部分と硬質部分は押出成形の際に熱融着によって一体化することが可能である。
【００２０】
各細長中空棒状体１の両端開口部には、内部に水が入るのを防ぐと共に、見栄えを良くするなどのためにキャップが付設される。本発明は当該キャップを二重キャップ化することによってこれまで考えられなかった効果を引き出すようにしたものであり、図中５は第１キャップ、６はこの第１キャップ５に対して着脱可能な第２キャップを示す。なお、本発明に係る二重キャップを適用するのは前記したジョイント片３の先端縁に突成した突条４を、他の細長中空棒状体に形成してある抱持部２内に嵌合させて連結を図るようにした連結部７を有する細長中空棒状体であり、通常の帯状片１７を介して連結した他の細長中空棒状体には普通のキャップを溶着すれば足りる。
【００２１】
第１キャップ５は基本的には、図１に示すようにジョイント片３による連結部７の周辺を除いた細長中空棒状体１の開口部８を塞ぐためのもので、裏面には開口部８内に挿着するいくつかの挿入脚９を突設してある。そして、当該挿入脚９を開口部８内に挿着してから、例えば超音波溶着などの手段で細長中空棒状体１Ａの開口部に溶着される。この第１キャップ５にはジョイント片３の突条４による連結部７を覆い得る部分が設けられていないため、当該第１キャップ５を開口部８に取付けても、連結部７は露出したままとなる。
【００２２】
第２キャップ６は、第１キャップ５に対して着脱可能になっていると共に、図１に示すように第１キャップ５によっては覆うことのできないジョイント片３による連結部７を覆うことができる遮蔽部１０を具備している。
従って、第１キャップ５に第２キャップ６を嵌め付けると、ジョイント片３による連結部７が、第２キャップ６の遮蔽部１０によって覆われてジョイント片３に突成してある突条４の抜け止めが図られることとなる。
【００２３】
【実施例】
次に、本発明シャッター式浴槽蓋に係る細長中空棒状体に適用して好適なキャップの実施例を示す。
先ず、図３乃至図５に示す実施例のキャップは、裏面に挿入脚９を突設した第１キャップ５の表面側に、入口部より奥の方が広くなっている凹溝１１を凹設すると共に、第２キャップ６の周縁部に、前記凹溝１１に嵌合し得る突縁１２を形成して、第２キャップ６の突縁１２を第１キャップ５の凹溝１１内にスライドさせて第２キャップ６を第１キャップ５に嵌合させるようにしたものである。
【００２４】
第２キャップ６には連結部７を覆う遮蔽部１０が設けられているので、第１キャップ５に第２キャップ６を嵌合すると、連結部７は当該第２キャップ６の遮蔽部１０によって塞がれ連結部７からジョイント片３の突条４が抜け出るのを防止することができる。従って、この実施例によった場合、店頭において残った端数に新しい長尺製品を連結するのが非常に簡単となる。また、ユーザーの好みに応じて必要長さを変えたり、あるいは色調の異なる細長中空棒状体と適宜交換してカラフルな組み合わせを自在に楽しむことができるものである。
【００２５】
図６に示す実施例のキャップは、第１キャップ５に表裏に通ずる複数個の通孔１３を穿設すると共に、第２キャップ６の裏面側に先端が割りピン状等となった係合突起１４を突設して、当該係合突起１４を第１キャップ５の通孔１３内に挿着してジョイント片３の突条４による連結部７を覆うようにしたものである。
この実施例によっても第１キャップ５に対し第２キャップ６は着脱が可能であり、第１キャップ５に第２キャップ６を挿着することによって第２キャップ６が具備する遮蔽部１０によって連結部７が抑え付けられるものである。
【００２６】
次に、図７に示す実施例のキャップは、ジョイント片３による連結部７側となる部分を除いて第１キャップ５の表面側外周部に沿って突縁部１５を形成し、ジョイント片３による連結部７を覆うことのできる遮蔽部１０を具備した第２キャップ６の周縁部１６を、第１キャップ５の前記突縁部１５内に嵌着するように構成したものである。
この実施例によっても第１キャップ５に対し第２キャップ６は着脱が可能であり、第１キャップ５に第２キャップ６を嵌着することによって第２キャップ６が具備する遮蔽部１０によってジョイント片３による連結部７が抑え付けられるものである。
【００２７】
なお、前記いずれの実施例においても、第１キャップ５に第２キャップ６を嵌め付けた外観形態を、他の通常のキャップの外観形態と同一とすることによって二重キャップの所在を外部からは容易に判らないようにすることができ、意匠効果等を阻害するおそれはないものである。
【００２８】
【発明の効果】
本発明シャッター式浴槽蓋は以上のように、細長中空棒状体の両端開口部に付設するキャップを二重キャップとしたものであり、細長中空棒状体の開口部に融着される第１キャップに対して、第２キャップは着脱可能となっているため、当該第２キャップを第１キャップより外すことによって、細長中空棒状体に形成してある抱持部内からジョイント片に突成した嵌合用の突条を引き抜くことができ、これによって細長中空棒状体同士の連結を解いたり、再度繋げたりすることが可能となり、販売店において接着剤を用いなくても長尺製品の端数を新しい長尺製品の端末に容易に連結することができる。
【００２９】
なお、第２キャップを第１キャップに嵌合させることで、ジョイント片による連結部はロックされた状態となるので接着剤を塗布しなくても抱持部内からジョイント片に突成した嵌合用の突条が抜け出るおそれはなくなる。また、寸法の定まった規格品においても、経時的に痛んだ部分のみを他の新しいパーツに取り替えることができると共に、ユーザーの好みで長さや配色などを自由に変えることが可能となる。
【図面の簡単な説明】
【図１】第１キャップ及び第２キャップを細長中空棒状体の端面から外した分解状態斜視図である。
【図２】本発明を適用することのできる同時押出成形品としての細長中空棒状体の一例を示す端面図である。
【図３】第２キャップを第１キャップに嵌め付けるときの説明図である。
【図４】第１キャップに第２キャップを嵌着させた状態の説明図である。
【図５】図４のＡ−Ａ線に沿った断面図である。
【図６】第１キャップ及び第２キャップの他の実施例を示す斜視図である。
【図７】第１キャップ及び第２キャップのさらに他の実施例を示す斜視図である。
【符号の説明】
１：細長中空棒状体                  ２：抱持部
３：ジョイント片                    ４：突条
５：第１キャップ                    ６：第２キャップ
７：連結部                          ８：開口部
９：挿入脚                        １０：遮蔽部
１１：凹溝                          １２：突縁
１３：通孔                          １４：係合突起
１５：突縁部                        １６：周縁部
１７：帯状片                        １８：帯状部分
【図１】
0004056605.tif 000002
【図２】
0004056605.tif 000003
【図３】
0004056605.tif 000004
【図４】
0004056605.tif 000005
【図５】
0004056605.tif 000006
【図６】
0004056605.tif 000007
【図７】
0004056605.tif 000008